【手続補正書】
【提出日】平成20年5月21日(2008.5.21)
【手続補正１】
【補正対象書類名】明細書
【補正対象項目名】０００７
【補正方法】変更
【補正の内容】
【０００７】
ＴＭＳコイルを保持するためのロボットのアーム
米国特許第６，２６６，５５６号明細書および米国特許出願第２００３／００５０５２７号明細書では、ＴＭＳコイルに動作可能に連結するロボットアームの方法が記載されるが、これは患者に対するＴＭＳコイルを位置決め、及びＴＭＳ治療の間コイルを保持するためのものである。コイル配置のためにロボットアームを使用している同様の技術が、Ｔａｎｎｅｒらによる米国特許出願第２００３／０００４３９２号明細書、およびＴａｎｎｅｒの米国特許出願２００３／００６５２４３号明細書において開示される。これらの特許出願明細書は、さらに刺激モデルを使用して適当な刺激位置を決定するための患者の脳の空間構造をモデル化する技術を開示する。これらの技術はコイルの制御された移動および配置を提供するものであるが、費用が高く、臨床環境で特定の患者の頭に対してコイルを繰返し配置することは提供しない。その結果、上述した手動および／または複雑な画像技術を、コイルの配置のために前記患者に対して使用する必要もある。 
この出願の発明に関連する先行技術文献情報としては、以下のものがある（国際出願日以降国際段階で引用された文献及び他国に国内移行した際に引用された文献を含む）。
【特許文献１】米国特許出願公開第２００５／０２２８２０９号明細書
【特許文献２】米国特許出願公開第２００４／０１５３１２９号明細書
【特許文献３】米国特許出願公開第２００４／００７７９２１号明細書
【特許文献４】米国特許出願公開第２００５／００２１１０４号明細書
【特許文献５】米国特許第５，０９７，８３３号明細書
【特許文献６】米国特許第５，２９９，５６９号明細書
【特許文献７】米国特許第６，３８９，３１８号明細書
【特許文献８】米国特許第６，４９７，６４８号明細書
【特許文献９】米国特許第６，５５１，２３３号明細書
【特許文献１０】米国特許第６，８２７，６８１号明細書
【特許文献１１】米国特許第６，８４９，０４０号明細書
【特許文献１２】米国特許第６，４８４，０５９号明細書
【特許文献１３】米国特許第６，４６３，３２８号明細書
【特許文献１４】米国特許第６，１７９，７７１号明細書
【特許文献１５】米国特許第６，５７１，１２３号明細書
【特許文献１６】米国特許出願公開第２００３／００２３１５９号明細書
【特許文献１７】米国特許出願公開第２００３／００５０５２７号明細書
【特許文献１８】米国特許出願公開第２００３／００７３８９９号明細書
【特許文献１９】米国特許第６，５１６，２８８号明細書
【特許文献２０】米国特許第６，５６０，４９０号明細書
【特許文献２１】米国特許第６，２５６，５３１号明細書
【特許文献２２】米国特許出願公開第２００２／００８７２０１号明細書
【特許文献２３】米国特許第６，５１６，２１３号明細書
【特許文献２４】米国特許出願公開第２００３／０１３０７０６号明細書
【特許文献２５】米国特許出願公開第２００２／００９１４１９号明細書
【特許文献２６】米国特許出願公開第２００３／０００４３９２号明細書
【特許文献２７】米国特許出願公開第２００３／００２３１５９号明細書
【特許文献２８】米国特許出願公開第２００３／００６５２４３号明細書
【特許文献２９】米国特許出願公開第２００３／００８８２７４号明細書
【特許文献３０】米国特許出願公開第２００３／００８２５０７号明細書
【特許文献３１】米国特許出願公開第２００３／００９７１６１号明細書
【特許文献３２】米国特許出願公開第２００３／０１２５７８６号明細書
【特許文献３３】米国特許出願公開第２００４／００１９３７０号明細書
【特許文献３４】米国特許第５，８２８，７７０号明細書
【特許文献３５】米国特許第５，９２３，４１７号明細書
【特許文献３６】米国特許第６，０６１，６４４号明細書
【特許文献３７】米国特許第６，２８８，７８５号明細書
【特許文献３８】米国特許第６，５５３，３２６号明細書
【特許文献３９】米国特許第６，６２５，５６３号明細書
【特許文献４０】米国特許第５，６５５，５３４号明細書
【特許文献４１】米国特許第６，２５６，５３１号明細書
【特許文献４２】米国特許第６，５３７，１９７号明細書
【特許文献４３】米国特許第５，８５５，５８２号明細書
【特許文献４４】米国特許第５，３７０，１１７号明細書
【特許文献４５】米国特許第６，４１８，３４５号明細書
【特許文献４６】国際公開第２００５／０００４０１号パンフレット
【特許文献４７】国際公開第２００５／０６５７６８号パンフレット
【特許文献４８】国際公開第０２／０３２５０４号パンフレット
【特許文献４９】国際公開第０２／０９４９９７号パンフレット
【特許文献５０】国際公開第０２／０８５４４９号パンフレット
【特許文献５１】国際公開第０１／９７９０６号パンフレット
【特許文献５２】国際公開第０２／０８９９０２号パンフレット
【特許文献５３】国際公開第０３／０３５１６３号パンフレット
【特許文献５４】国際公開第９９／０６４８８４号パンフレット
【特許文献５５】国際公開第０２／０８５４５号パンフレット
【特許文献５６】国際公開第０２／０７２１９４号パンフレット
【特許文献５７】欧州特許第０９９８９５８号パンフレット
【特許文献５８】国際公開第０３／０９８２６８号パンフレット
【非特許文献０１】Ｂａｕｄｅｗｉｇ，Ｊ．ｅｔ  ａｌ．,"Ｆｕｎｃｔｉｏｎａｌ  ＭＲＩ  ｏｆ  Ｃｏｒｔｉｃａｌ  Ａｃｔｉｖａｔｉｏｎｓ  Ｉｎｄｕｃｅｄ  ｂｙ  Ｔｒａｎｓｃｒａｎｉａｌ  Ｍａｇｎｅｔｉｃ  Ｓｔｉｍｕｌａｔｉｏｎ（ＴＭＳ）"，Ｂｒａｉｎ  Ｉｍａｇｉｎｇ−ＮｅｕｒｏＲｅｐｏｒｔ，２００１，１２（１６），３５４３−３５４８
【非特許文献０２】Ｂｏｈｎｉｎｇ，Ｄ．Ｅ．Ｐｈ．Ｄ．ｅｔ  ａｌ．，"ＢＯＬＤ−ｆＭＲＩ  Ｒｅｓｐｏｎｓｅ  ｔｏ  Ｓｉｎｇｌｅ−Ｐｕｌｓｅ  Ｔｒａｎｓｃｒａｎｉａｌ  Ｍａｇｎｅｔｉｃ  Ｓｔｉｍｕｌａｔｉｏｎ  （ＴＭＳ）"，Ｊｏｕｒｎａｌ  ｏｆ  Ｍａｇｎｅｔｉｃ  Ｒｅｓｏｎａｎｃｅ  Ｉｍａｇｉｎｇ，２０００，１１，５６９−５７４
【非特許文献０３】Ｂｏｈｎｉｎｇ，Ｄ．Ｅ．Ｐｈ．Ｄ．ｅｔ  ａｌ．，"Ａ  Ｃｏｍｂｉｎｅｄ  ＴＭＳ／ｆＭＲＩ  Ｓｔｕｄｙ  ｏｆ  Ｉｎｔｅｎｓｉｔｙ−Ｄｅｐｅｎｄａｎｔ  ＴＭＳ  ｏｖｅｒ  Ｍｏｔｏｒ  Ｃｏｒｔｅｘ"，Ｓｏｃｉｅｔｙ  ｏｆ  Ｂｉｏｌｏｇｉｃａｌ  Ｐｓｙｃｈｉａｔｒｙ，１９９９，４５，３８５−３９４
【非特許文献０４】Ｂｏｈｎｉｎｇ，Ｄ．Ｅ．ｅｔ  ａｌ．，"Ａ  ＴＭＳ  Ｃｏｉｌ  Ｐｏｓｉｔｉｏｎｉｎｇ／Ｈｏｌｄｉｎｇ  Ｓｙｓｔｅｍ  ｆｏｒ  ＭＲ  Ｉｍａｇｅ−Ｇｕｉｄｅｄ  ＴＭＳ  Ｉｎｔｅｒｌｅａｖｅｄ  ｗｉｔｈ  ｆＭＲＩ"，Ｃｌｉｎｉｃａｌ  Ｎｅｕｒｏｐｈｙｓｉｏｌｏｇｙ，２００３，１１４，２２１０−２２１９
【非特許文献０５】Ｇｅｏｒｇｅ，Ｍ．Ｓ．ｅｔ  ａｌ．，"Ａ  Ｃｏｎｔｒｏｌｌｅｄ  Ｔｒｉａｌ  ｏｆ  Ｄａｉｌｙ  Ｌｅｆｔ  Ｐｒｅｆｒｏｎｔａｌ  Ｃｏｒｔｅｘ  ＴＭＳ  ｆｏｒ  Ｔｒｅａｔｉｎｇ  Ｄｅｐｒｅｓｓｉｏｎ"，Ｓｏｃｉｅｔｙ  ｏｆ  Ｂｉｏｌｏｇｉｃａｌ  Ｐｓｙｃｈｉａｔｒｙ，２０００，４８，９６２−９７０
【非特許文献０６】Ｇｒａｆｍａｎ，Ｊ．Ｐｈ．Ｄ．，"ＴＭＳ  ａｓ  ａ  Ｐｒｉｍａｒｙ  Ｂｒａｉｎ  Ｍａｐｐｉｎｇ  Ｔｏｏｌ"Ｔｒａｎｓｃｒａｎｉａｌ  Ｍａｇｎｅｔｉｃ  Ｓｔｉｍｕｌａｔｉｏｎ  ｉｎ  Ｎｅｕｒｏｐｓｙｃｈｉａｔｒｙ，２０００，１１５−１４０
【非特許文献０７】Ｌｉｓａｎｂｙ，Ｓ．Ｈ．ｅｔ  ａｌ．，"Ｓｈａｍ  ＴＭＳ：  Ｉｎｔｒａｃｅｒｅｂｒａｌ  Ｍｅａｓｕｒｅｍｅｎｔ  ｏｆ  ｔｈｅ  Ｉｎｄｕｃｅｄ  Ｅｌｅｃｔｒｉｃａｌ  Ｆｉｅｌｄ  ａｎｄ  ｔｈｅ  Ｉｎｄｕｃｔｉｏｎ  ｏｆ  Ｍｏｔｏｒ−Ｅｖｏｋｅｄ  Ｐｏｔｅｎｔｉａｌｓ"，Ｓｏｃｉｅｔｙ  ｏｆ  Ｂｉｏｌｏｇｉｃａｌ  Ｐｓｙｃｈｉａｔｒｙ，２００１，４９，４６０−４６３
【非特許文献０８】Ｌｏｒｂｅｒｂａｕｍ，Ｊ．Ｐ．，Ｍ．Ｄ．ｅｔ  ａｌ．，"Ｓａｆｅｔｙ  ｃｏｎｃｅｒｎｓ  ｏｆ  ＴＭＳ"，Ｔｒａｎｓｃｒａｎｉａｌ  Ｍａｇｎｅｔｉｃ  Ｓｔｉｍｕｌａｔｉｏｎ  ｉｎ  Ｎｅｕｒｏｐｓｙｃｈｉａｔｒｙ，２０００，１４１−１６１
【非特許文献０９】Ｌｏｏ，Ｃ．Ｋ．ｅｔ  ａｌ．，"Ｔｒａｎｓｃｒａｎｉａｌ  Ｍａｇｎｅｔｉｃ  Ｓｔｉｍｕｌａｔｉｏｎ  （ＴＭＳ）ｉｎ  Ｃｏｎｔｒｏｌｌｅｄ  Ｔｒｅａｔｍｅｎｔ  Ｓｔｕｄｉｅｓ：  Ａｒｅ  Ｓｏｍｅ  "Ｓｈａｍ"  Ｆｏｒｍｓ  Ａｃｔｉｖｅ？"，Ｓｏｃｉｅｔｙ  ｏｆ  Ｂｉｏｌｏｇｉｃａｌ  Ｐｓｙｃｈｉａｔｒｙ，２０００，４７，３２５−３３１
【非特許文献１０】Ｎａｈａｓ，Ｚ．ｅｔ  ａｌ．，"Ｌｅｆｔ  Ｐｒｅｆｒｏｎｔａｌ  ｔｒａｎｓｃｒａｎｉａｌ  Ｍａｇｎｅｔｉｃ  Ｓｔｉｍｕｌａｔｉｏｎ（ＴＭＳ）  Ｔｒｅａｔｍｅｎｔ  ｏｆ  Ｄｅｐｒｅｓｓｉｏｎ  ｉｎ  Ｂｉｐｏｌａｒ  Ａｆｆｅｃｔｉｖｅ  Ｄｉｓｏｒｄｅｒ：  Ａ  Ｐｉｌｏｔ  Ｓｔｕｄｙ  ｏｆ  Ａｃｕｔｅ  Ｓａｆｅｔｙ  ａｎｄ  Ｅｆｆｉｃａｃｙ"，Ｂｉｐｏｌａｒ  Ｄｉｓｏｒｄｅｒｓ，２００３，５，４０−４７
【非特許文献１１】Ｎａｈａｓ，Ｚ．ｅｔ  ａｌ．，"Ｕｎｉｌａｔｅｒａｌ  Ｌｅｆｔ  Ｐｒｅｆｒｏｎｔａｌ  Ｔｒａｎｓｃｒａｎｉａｌ  Ｍａｇｎｅｔｉｃ  Ｓｔｉｍｕｌａｔｉｏｎ（ＴＭＳ）Ｐｒｏｄｕｃｅｓ  Ｉｎｔｅｎｓｉｔｙ−Ｄｅｐｅｄｅｎｔ  Ｂｉｌａｔｅｒａｌ  Ｅｆｆｅｃｔｓ  ａｓ  Ｍｅａｓｕｒｅｄ  ｂｙ  Ｉｎｔｅｒｌｅａｖｅｄ  ＢＯＬＤ  ｆＭＲＩ，Ｓｏｃｉｅｔｙ  ｏｆ  Ｂｉｏｌｏｇｉｃａｌ  Ｐｓｙｃｈｉａｔｒｙ，２００１，５０，７１２−７２０
【非特許文献１２】Ｐｒｉｄｍｏｒｅ，Ｓ．，"Ｓｕｂｓｔｉｔｕｔｉｏｎ  ｏｆ  Ｒａｐｉｄ  Ｔｒａｎｓｃｒａｎｉａｌ  Ｍａｇｎｅｔｉｃ  Ｓｔｉｍｕｌａｔｉｏｎ  Ｔｒｅａｔｍｅｎｔｓ  ｆｏｒ  Ｅｌｅｃｔｒｏｃｏｎｖｕｌｓｉｖｅ  Ｔｈｅｒａｐｙ  Ｔｒｅａｔｍｅｎｔｓ  ｉｎ  ａ  Ｃｏｕｒｓｅ  ｏｆ  Ｅｌｅｃｔｒｏｃｏｎｖｕｌｓｉｖｅ  Ｔｈｅｒａｐｙ"，Ｄｅｐｒｅｓｓｉｏｎ  ａｎｄ  Ａｎｘｉｅｔｙ，２０００，１２，１１８−１２３
【非特許文献１３】Ｒｕｏｈｏｎｅｎ，Ｊ．，"Ｅｌｅｃｔｒｏｅｎｃｅｐｈａｌｏｇｒａｐｈｙ  Ｃｏｍｂｉｎｅｄ  ｗｉｔｈ  ＴＭＳ"，ＢｉｏＭａｇ  Ｌａｂｏｒａｔｏｒｙ，Ｈｅｌｓｉｎｋｉ  Ｕｎｉｖｅｒｓｉｔｙ  Ｃｅｎｔｒａｌ  Ｈｏｓｐｉｔａｌ，ｈｔｔｐ：／／ｗｗｗ．ｂｉｏｍａｇ．ｈｅｌｓｉｎｋｉ．ｆｉ／ｔｍｓ／ＴＭＳＥＥＧ．ｈｔｍｌ，Ｏｃｔｏｂｅｒ  ６，１９９９，２２  ｐａｇｅｓ